(57)【要約】【課題】  音色を変えることが可能なドラムを提供する。【解決手段】  ドラム１Ａは、一端にバターサイドヘッド２０が張設され、他端が開口している上シェル１０と、一端にレゾナンスヘッド７０が張設され、他端が開口している下シェル６０とを有している。上シェル１０のバターサイドヘッド２０の反対側端には上係合部１２が設けられており、下シェル６０のレゾナンスヘッド７０の反対側端には下係合部６２が設けられている。上係合部１２における上シェル１０の内側面は、下係合部６２における下シェル６０の外側面に接触する。上シェル１０と下シェル６０とは、上係合部１２と下係合部６２とが接触しつつ上シェル１０および下シェル６０の回転軸に沿った方向に互いに摺動可能である。【選択図】図１
2015210485.tif 000002
【特許請求の範囲】
【請求項１】
各々の軸に沿った方向に並べられて一組のシェルを形成する複数の筒状部材を有し、
前記複数の筒状部材の並べられる方向の前記一組のシェルの長さを可変にしたことを特徴とするドラム。
【請求項２】
前記複数の筒状部材として、
第１の筒状部材と、
一方の開口端近傍の側面が前記第１の筒状部材の一方の開口端近傍の側面に接する第２の筒状部材と、を有し、
前記第１の筒状部材、前記第２の筒状部材および前記第１の筒状部材の他端と前記第２の筒状部材の他端とに張設される一対のドラムヘッドにより閉空間が形成され、
前記第１の筒状部材の前記開口端近傍の側面と前記第２の筒状部材の前記開口端近傍の側面とを接触させつつ、前記第１の筒状部材と前記第２の筒状部材の並べられる方向に前記第１の筒状部材と前記第２の筒状部材とを互いに移動可能にしたことを特徴とする請求項１に記載のドラム。
【請求項３】
前記第１の筒状部材と前記第２の筒状部材とを互いに固定する固定手段をさらに具備したことを特徴とする請求項２に記載のドラム。
【請求項４】
前記複数の筒状部材として、
第１の筒状部材と、
第２の筒状部材と、
一方の開口端が前記第１の筒状部材の一方の開口端に組み合わされ、他方の開口端が前記第２の筒状部材の一方の開口端に組み合わされる第３の筒状部材と、を有し、
前記第１の筒状部材、前記第２の筒状部材、前記第３の筒状部材および前記第１の筒状部材の他端と前記第２の筒状部材の他端とに張設される一対のドラムヘッドにより閉空間が形成されることを特徴とする請求項１に記載のドラム。
【発明の詳細な説明】
【技術分野】
【０００１】
この発明は、ドラムに関する。
【背景技術】
【０００２】
打楽器の１つにドラムがある。ドラムは、一般に、円筒状のシェルを備えている。シェルの一端には、打面側のドラムヘッドであるバターサイドヘッドが張設されている。シェルの他端には、反響側のドラムヘッドであるレゾナンスヘッドが張設されている。ドラムは、ユーザによってバターサイドヘッドに打撃を与えられることにより音を発する。この種のドラムは、例えば、特許文献１に開示されている。
【先行技術文献】
【特許文献】
【０００３】
【特許文献１】特開２００８−２９２８０８号公報
【発明の概要】
【発明が解決しようとする課題】
【０００４】
ドラムのシェル、バターサイドヘッドおよびレゾナンスヘッドは、ドラム内に閉空間を形成し、ドラムの音色はこの閉空間の形状および容積に影響を受ける。市場には、この閉空間の形状および容積が異なる複数種類のドラムが流通している。これら複数種類のドラムのうちから、ユーザが好みの音色のドラムや演奏する曲に合う音色のドラムを選ぶことができるようにするためである。ユーザが様々なジャンルの曲を演奏する場合、それらのジャンルあるいは曲に適した音色でドラム演奏を行うには、複数種類のドラムを予め準備しておくことが必要となる。しかし、音色の異なるドラムを複数種準備するには、費用がかかり、設置や保管場所も必要になる。
【０００５】
この発明は以上のような事情に鑑みてなされたものであり、音色を変えることが可能なドラムを提供することを目的としている。
【課題を解決するための手段】
【０００６】
この発明は、各々の軸に沿った方向に並べられて一組のシェルを形成する複数の筒状部材を有し、前記複数の筒状部材の並べられる方向の前記一組のシェルの長さを可変にしたことを特徴とするドラムを提供する。
【０００７】
この発明によれば、複数の筒状部材により形成される一組のシェルの長さが変わるため、当該一組のシェル内の容積が変わる。従って、本ドラムによれば、音色を変えることが可能である。
【図面の簡単な説明】
【０００８】
【図１】この発明の第１実施形態であるドラム１Ａの構成を示す平面図および断面図である。
【図２】上シェル１０と下シェル６０とを同ドラム１Ａの回転軸に沿った方向に互いに近づけたときの同ドラム１Ａの構成例を示す断面図である。
【図３】上シェル１０と下シェル６０とを同ドラム１Ａの回転軸に沿った方向に互いに遠ざけたときの同ドラム１Ａの構成例を示す断面図である。
【図４】同ドラム１Ａの周波数特性を示す図である。
【図５】シェルの内径を変えたドラムの構成を示す模式図である。
【図６】この発明の第２実施形態であるドラム１Ｂの構成の一部を示す断面図および側面図である。
【図７】この発明の第３実施形態であるドラム１Ｃの構成の一部を示す断面図である。
【図８】この発明の第４実施形態であるドラム１Ｄの構成の一部を示す断面図である。
【図９】上シェル１０Ｄと下シェル６０Ｄとを組み合わせた場合の同ドラム１Ｄの構成の一部を示す断面図である。
【発明を実施するための形態】
【０００９】
以下、図面を参照し、この発明の実施形態について説明する。
＜第１実施形態＞
図１（Ａ）は、この発明の第１実施形態によるドラム１Ａの構成を示す平面図であり、図１（Ｂ）は、同ドラム１ＡのＡ−Ａ´線断面図である。ドラム１Ａは、上シェル１０、バターサイドヘッド２０、フープ３０、ラグ４０、チューニングピン５０、下シェル６０およびレゾナンスヘッド７０を有している。
【００１０】
上シェル１０は、両端が開口している円筒状の部材である。上シェル１０は、例えば、木材を成形してなるものである。上シェル１０の内径は、当該上シェル１０の回転軸に沿ってほぼ同じになっている。なお、本明細書において軸とは、中心となる線のことを言い、軸に沿った方向とは、同一形状の断面の連続する方向のことを言い、特に、円形断面を有する円筒や円柱における軸のことを回転軸と言い、その円筒や円柱における軸に沿った方向のことを回転軸に沿った方向と言うこととする。
【００１１】
上シェル１０の外側面には、複数（図１の例では６個）のラグ４０が固定されている。ラグ４０は、丸みを帯びたブロック状の部材である。ラグ４０は、上シェル１０の両端からの距離が同程度となる位置に設けられている。また、ラグ４０は、上シェル１０の円周方向に一定の間隔をあけて設けられている。ラグ４０には、内側面にねじ溝が形成された円筒状のねじ受け部４２が設けられている。
【００１２】
チューニングピン５０は、側面にねじ山が形成された円柱状のねじ部５２と、ねじ部５２の一端に設けられた角柱状の頭部５４とを有する。ねじ部５２のねじ山は、ねじ受け部４２のねじ溝に螺合する形状になっている。ねじ部５２には、平らなリング状の座金部５６が挿通されている。座金部５６の内径は、チューニングピン５０の回転軸に垂直な面で頭部５４を切断したときの断面における対角線の長さよりも小さくなっている。
【００１３】
フープ３０は、略リング状の部材である。フープ３０の内径は、その回転軸に沿った方向の当該フープ３０の中央近傍において階段状に変化している。フープ３０の内径の小さい部分における当該フープ３０の内径は、上シェル１０の外径よりも大きくなっている。フープ３０は、当該フープ３０の回転軸が上シェル１０の回転軸に重なるように上シェル１０の一端近傍に配置される。フープ３０は、ツバ部３２を複数有している。ツバ部３２は、フープ３０の回転軸に垂直な面に平行な板状の部分であり、フープ３０の回転軸から遠ざかる方向にフープ３０の外側面から張り出した部分である。ツバ部３２は、フープ３０の円周方向に一定の間隔をあけて設けられている。ツバ部３２の個数は、ラグ４０の個数と同じであり、ツバ部３２の間隔は、ラグ４０の間隔と同じである。ツバ部３２には、チューニングピン５０のねじ部５２を挿通する貫通孔が設けられている。
【００１４】
バターサイドヘッド２０は、例えば、合成樹脂製フィルムや皮などを円形に成形してなるものである。バターサイドヘッド２０の直径は、上シェル１０の外径よりも大きくなっている。バターサイドヘッド２０は、上シェルの一端（図１では、上シェル１０の上方の端）を覆うように配置される。バターサイドヘッド２０は、当該バターサイドヘッド２０の周縁部にリング状のバターサイドヘッド固定部２２を有する。バターサイドヘッド固定部２２は、フープ３０における内径が階段状に変化している部分により、上シェル１０におけるバターサイドヘッド２０の配置される端からラグ４０方向へ押し付けられる。また、チューニングピン５０のねじ部５２の挿通されたフープ３０のツバ部３２は、チューニングピン５０の頭部５４および座金部５６により、上シェル１０におけるバターサイドヘッド２０の配置される端からラグ４０方向へ押し付けられる。そして、チューニングピン５０のねじ部５２とラグ４０のねじ受け部４２との螺合により、バターサイドヘッド２０およびフープ３０は、ラグ４０および上シェル１０に保持される。すなわち、バターサイドヘッド２０は、上シェル１０の一端に張設される。このバターサイドヘッド２０は、打面側のドラムヘッドである。また、チューニングピン５０の頭部５４を回転させることにより、フープ３０およびバターサイドヘッド固定部２２をチューニングピン５０の回転軸に沿った方向に移動させ、バターサイドヘッド２０の張力（すなわちドラム１Ａの音程）を変えることができる。
【００１５】
上シェル１０におけるバターサイドヘッド２０の反対側端には、上係合部１２が設けられている。上係合部１２は、上シェル１０の内径を階段状に変化させた部分である。より詳細に説明する。上係合部１２における上シェル１０の内径は、上係合部１２よりもバターサイドヘッド２０側における上シェル１０の内径よりも若干大きくなっている。上係合部１２における上シェル１０の内径は、上シェル１０の回転軸に沿って同じになっている。上係合部１２は、バターサイドヘッド２０の反対側端からバターサイドヘッド２０側端方向に所定の位置まで設けられている。例えば、図１に示すように、上係合部１２は、バターサイドヘッド２０の反対側端からラグ４０近傍の位置まで設けられている。本実施形態では、上係合部１２の設けられている領域であるバターサイドヘッド２０の反対側端（すなわち開口端）からラグ４０近傍の位置までの領域のことを上シェル１０の開口端近傍と呼ぶ。
【００１６】
下シェル６０は、上シェル１０と同様、両端が開口している円筒状の部材である。下シェル６０は、例えば、木材を成形してなるものである。下シェル６０の内径は、当該下シェル６０の回転軸に沿ってほぼ同じになっている。また、下シェル６０の内径は、上シェル１０の内径とほぼ同じになっている。また、下シェル６０の外側面には、上シェル１０と同様に、ラグ４０が固定されている。
【００１７】
レゾナンスヘッド７０は、例えば、バターサイドヘッド２０よりも薄い合成樹脂製フィルムや皮などを円形に成形してなるものである。レゾナンスヘッド７０の直径は、下シェル６０の外径よりも大きくなっている。レゾナンスヘッド７０は、下シェル６０の一端（図１では、下シェル６０の下方の端）を覆うように配置される。レゾナンスヘッド７０は、当該レゾナンスヘッド７０の周縁部にリング状のレゾナンスヘッド固定部７２を有する。レゾナンスヘッド固定部７２は、バターサイドヘッド固定部２２と同様に、フープ３０およびチューニングピン５０により、下シェル６０におけるレゾナンスヘッド７０の配置される端からラグ４０方向に押し付けられる。すなわち、レゾナンスヘッド７０は、バターサイドヘッド２０と同様に、下シェル６０の一端に張設される。このレゾナンスヘッド７０は、反響側のドラムヘッドである。レゾナンスヘッド７０の張力の変更については、バターサイドヘッド２０と同様である。
【００１８】
下シェル６０におけるレゾナンスヘッド７０の反対側端には、下係合部６２が設けられている。下係合部６２は、下シェル６０の外径を階段状に変化させた部分である。より詳細に説明する。下係合部６２における下シェル６０の外径は、下係合部６２よりもレゾナンスヘッド７０側における下シェル６０の外径よりも若干小さくなっている。下係合部６２における下シェル６０の外径は、下シェル６０の回転軸に沿って同じになっている。下係合部６２は、レゾナンスヘッド７０の反対側端からレゾナンスヘッド７０側端方向に所定の位置まで設けられている。例えば、図１に示すように、下係合部６２は、レゾナンスヘッド７０の反対側端からラグ４０近傍の位置まで設けられている。本実施形態では、下係合部６２の設けられている領域であるレゾナンスヘッド７０の反対側端（すなわち開口端）からラグ４０近傍の位置までの領域のことを下シェル６０の開口端近傍と呼ぶ。また、下係合部６２における下シェル６０の外径は、上係合部１２における上シェル１０の内径とほぼ同じになっている。また、下シェル６０の回転軸に沿った方向の下係合部６２の長さは、上シェル１０の回転軸に沿った方向の上係合部１２の長さとほぼ同じになっている。
【００１９】
本実施形態では、上シェル１０と下シェル６０とが互いに係合することにより当該ドラム１Ａが形成される。より詳細に説明する。上シェル１０は、下シェル６０の回転軸の延長線上に上シェル１０の回転軸が重なるように配置される。換言すると、上シェル１０および下シェル６０は、各々の回転軸に沿った方向に並べられる。また、上シェル１０は、下シェル６０の下係合部６２側端に上シェル１０の上係合部１２側端が向かい合う姿勢で配置される。そして、上係合部１２における上シェル１０の内側面が下係合部６２における下シェル６０の外側面に接触する。すなわち、上シェル１０の開口端近傍の側面と下シェル６０の開口端近傍の側面とが接する。これにより、ドラム１Ａが形成され、上シェル１０および下シェル６０は、ドラム１Ａのシェルとして機能する一組のシェルを形成する。また、バターサイドヘッド２０およびレゾナンスヘッド７０は、ドラム１Ａの一対のドラムヘッドとして機能する。上係合部１２と下係合部６２とが接触しているため、バターサイドヘッド２０、上シェル１０、下シェル６０およびレゾナンスヘッド７０により、それらに囲まれた閉空間８０が形成される。さらに、上係合部１２と下係合部６２とが接触しているため、上シェル１０と下シェル６０との間には摩擦力を生じる。この摩擦力により、バターサイドヘッド２０に打撃が与えられても上シェル１０と下シェル６０とは互いに保持される。
【００２０】
上シェル１０および下シェル６０は、ドラム１Ａの回転軸（上シェル１０の回転軸および下シェル６０の回転軸）に沿った方向に上シェル１０と下シェル６０との間の摩擦力以上の力（例えば、バターサイドヘッド２０へ与えられる打撃よりも大きな力）が与えられると、ドラム１Ａの回転軸に沿った方向に互いに摺動する。すなわち、ドラム１Ａでは、上係合部１２における上シェル１０の内側面と下係合部６２における下シェル６０の外側面とを接触させつつ、上シェル１０と下シェル６０とをドラム１Ａの回転軸に沿った方向に互いに移動させることができる。上シェル１０と下シェル６０とをドラム１Ａの回転軸に沿った方向に互いに移動させると、ドラム１Ａの回転軸に沿った方向のドラム１Ａのシェルの長さが変化する。そして、バターサイドヘッド２０とレゾナンスヘッド７０との間の距離が変化する。その結果、閉空間８０の容積が変化する。また、上係合部１２と下係合部６２とを接触させつつ上シェル１０と下シェル６０とを互いに移動させるため、閉空間８０の密閉度合いは、上シェル１０および下シェル６０の移動の前後において保持される。閉空間８０の密閉度合いが保持されるとは、具体的には、上シェル１０と下シェル６０との接触部分（上シェル１０と下シェル６０との間）を介してドラム１Ａのシェルの内外の空気が互いに移動する度合いが、ドラム１Ａのシェルの長さを短くした場合とドラム１Ａのシェルの長さを長くした場合とにおいて、ほとんど変化しない、ということである。換言すると、ドラム１Ａのシェル内の空気の状態が、ドラム１Ａのシェルの長さを短くした場合とドラム１Ａのシェルの長さを長くした場合とにおいて、ほとんど変化しない、ということである。さらに、上シェル１０と下シェル６０との間の摩擦力も同様に、上シェル１０および下シェル６０の移動の前後において保持される。
以上が、ドラム１Ａの構成である。
【００２１】
次に、本実施形態によるドラム１Ａの動作を説明する。バターサイドヘッド２０に打撃が与えられると、バターサイドヘッド２０は、変位したり振動したりする。バターサイドヘッド２０の変位および振動は、閉空間８０の空気を振動させる。閉空間８０の空気の振動は、バターサイドヘッド２０側からレゾナンスヘッド７０側に伝わり、レゾナンスヘッド７０を振動させる。レゾナンスヘッド７０の振動は、再度、閉空間８０の空気を振動させる。そして、その閉空間８０の空気の振動は、レゾナンスヘッド７０側からバターサイドヘッド２０側に伝わり、バターサイドヘッド２０を振動させる。このように閉空間８０を介してバターサイドヘッド２０とレゾナンスヘッド７０との間で振動が伝わることによって、ドラム１Ａは、閉空間８０の形状および容積に応じた所定の音色の音を発する。
【００２２】
次に、本実施形態によるドラム１Ａの使用態様を説明する。ユーザは、演奏に先立ち、ドラム１Ａの回転軸に沿った方向に上シェル１０と下シェル６０との間の摩擦力以上の力を与えて、上シェル１０と下シェル６０とを互いに摺動させる。そして、ユーザは、ドラム１Ａの音色が所望な音色（例えば、曲のジャンルや演奏環境などに応じてユーザが求める音色）となるように、上シェル１０と下シェル６０との相対的な位置関係を決定する。
【００２３】
図２は、上シェル１０と下シェル６０とをドラム１Ａの回転軸に沿った方向に互いに近づけたときのドラム１Ａの構成例を示す断面図である。図２は、上係合部１２における上シェル１０の内側面の全面が下係合部６２における下シェル６０の外側面の全面に接触している状態を示している。この場合、ドラム１Ａのシェルの長さは最短となり、バターサイドヘッド２０とレゾナンスヘッド７０との距離は最短となり、閉空間８０の容積は最小となる。
【００２４】
図３は、上シェル１０と下シェル６０とをドラム１Ａの回転軸に沿った方向に互いに遠ざけたときのドラム１Ａの構成例を示す断面図である。図３は、上係合部１２における上シェル１０の内側面と下係合部６２における下シェル６０の外側面との接触面積を極力小さくした状態を示している。この場合、ドラム１Ａのシェルの長さは長くなり、バターサイドヘッド２０とレゾナンスヘッド７０との距離は長くなり、閉空間８０の容積は大きくなる。
【００２５】
図４は、ドラム１Ａの周波数特性を示す概念図である。図４（Ａ）は、上シェル１０と下シェル６０とをドラム１Ａの回転軸に沿った方向に互いに近づけたときの（すなわち、図２の場合の）ドラム１Ａの周波数特性を示している。図４（Ｂ）は、上シェル１０と下シェル６０とをドラム１Ａの回転軸に沿った方向に互いに遠ざけたときの（すなわち、図３の場合の）ドラム１Ａの周波数特性を示している。図４の横軸は発生音の周波数であり、縦軸は発生音の振動レベルである。図４（Ｂ）における低周波数領域の振動レベルのピークは、図４（Ａ）における低周波数領域の振動レベルのピークよりも低域側にシフトしている。これは、上シェル１０と下シェル６０とを互いに遠ざけた場合、上シェル１０と下シェル６０とを互いに近づけた場合に比べ、ドラム１Ａの音色は、低音域の強調された音色となる、ということを示す。また、図４（Ｂ）における高周波数領域の振動レベルのピークは、図４（Ａ）における高周波数領域の振動レベルのピークとほぼ同様の周波数において発生している。高周波数領域の振動レベルのピークは、ドラム１Ａの音色の明るさに影響を与え、音色の明るさはユーザの知覚する音の印象に影響を与える。図４（Ａ）および（Ｂ）に示すように高周波数領域の振動レベルのピークの発生周波数が同じということは、ドラム１Ａの音色の明るさが、上シェル１０と下シェル６０とを互いに近づけた場合と互いに遠ざけた場合とで変わらない、ということを示す。そして、ドラム１Ａの音色の明るさが変わらないということは、上シェル１０と下シェル６０とを互いに移動させてもドラム本来の自然な音の印象が保たれる、ということを示す。
【００２６】
このように、本実施形態によるドラム１Ａは、一端にバターサイドヘッド２０が張設され、他端が開口している上シェル１０と、一端にレゾナンスヘッド７０が張設され、他端が開口している下シェル６０とを有している。この上シェル１０の開口端近傍の側面（具体的には上係合部１２における上シェル１０の内側面）と下シェル６０の開口端近傍の側面（具体的には下係合部６２における下シェル６０の外側面）とが接することにより両端に一対のドラムヘッドが張設されたシェルが形成される。そして、ドラム１Ａでは、上シェル１０の開口端近傍の側面と下シェル６０の開口端近傍の側面とを接触させつつ、ドラム１Ａの回転軸に沿った方向（換言すると、上シェル１０と下シェル６０の並べられる方向）のドラム１Ａのシェルの長さが変わるようにしている。すなわち、ドラム１Ａでは、バターサイドヘッド２０、上シェル１０、下シェル６０およびレゾナンスヘッド７０により形成される閉空間８０の密閉度合いを保持しつつ、ドラム１Ａの回転軸に沿った方向のドラム１Ａのシェルの長さが変わるようにしている。このため、ドラム１Ａでは、閉空間８０の容積が変わる。従って、ドラム１Ａによれば、当該ドラム１Ａの音色（特に低音域の音色）を変えることが可能である。そして、ユーザは、ドラム１Ａの音色を演奏する曲のジャンルや演奏環境などに応じた所望の音色に調整してドラム１Ａの演奏をすることができる。さらに、ユーザは、音色の異なる複数種類のドラムを準備する必要がなくなるため、ドラムを準備する費用を抑えることができ、設置場所や保管場所を少なくすることができる。
【００２７】
ところで、ドラム内の閉空間の容積を変化させる態様として、シェルの内径を変化させる態様も考えられる。図５は、シェルの内径を変えたドラムの構成を示す模式図である。図５（Ａ）は、シェルの内径を大きくした場合を示しており、図５（Ｂ）は、シェルの内径を小さくした場合を示している。図５（Ａ）に示すように、シェルの内径を大きくした場合、その内径を大きくした部分において音波が乱反射する。このため、この場合、ドラム本来の音とは異なる不要な音が生じる。また、図５（Ｂ）に示すように、シェルの内径を小さくした場合、音波は、その内径を小さくした部分においてドラムヘッド側に反射し、ドラムヘッドの振動を抑制する。このため、この場合、ドラムの音は、ドラム本来の自然な音色の音にならない。このように、シェルの内径を変化させることによりドラム内の閉空間の容積を変える態様では、ドラム本来の自然な音の印象を保ったままドラムの音色（特に低音域の音色）を変えることができない。これに対して、本実施形態によるドラム１Ａでは、ドラム１Ａ本来の自然な音の印象を保ったまま（すなわちドラム１Ａの音色の明るさを保ったまま）ドラム１Ａの音色（特に低音域の音色）を変えることができる。
【００２８】
また、ドラム１Ａでは、ドラム１Ａのシェルの長さが変わっても、閉空間８０の密閉度合いが保持されてドラム１Ａのシェル内の空気の状態が変わらないため、この点からもドラム１Ａの音の印象が保たれると言える。
【００２９】
また、ドラム１Ａでは、上シェル１０と下シェル６０とを互いに摺動させるため、ドラム１Ａのシェルの長さを連続的に変化させることができる。このため、ドラム１Ａでは、ドラム１Ａの音色を細かく調整することができる。さらに、摺動という単純な構成によりシェルの長さの可変を実現しているため、ドラム１Ａでは、当該ドラム１Ａの製造コストを抑えることができる。また、ドラム１Ａでは、ドラム１Ａ内の閉空間８０の容積を大きく変化させることができる。従って、ドラム１Ａでは、ダイナミックにドラム１Ａの音色を変化させることができる。また、ドラム１Ａの内径は大きくても小さくても良い。すなわち、小さいドラムでもダイナミックにドラムの音色を変化させることができる。また、ドラム１Ａでは、バターサイドヘッド２０にミュート部材を設置する等の処理を施さずに音色を変化させているため、ドラム本来の鳴りを維持することができる。
【００３０】
＜第２実施形態＞
図６は、この発明の第２実施形態によるドラム１Ｂの構成の一部を示す断面図および側面図である。本実施形態によるドラム１Ｂは、上シェル１０に代えて上シェル１０Ｂを設け、下シェル６０に代えて下シェル６０Ｂを設け、さらに上下シェル固定ピン９０Ｂを設けた点において第１実施形態によるドラム１Ａと異なる。上シェル１０Ｂは、上係合部１２に代えて上係合部１２Ｂを設けた点において上シェル１０と異なる。下シェル６０Ｂは、下係合部６２に代えて下係合部６２Ｂを設けた点において下シェル６０と異なる。
【００３１】
上係合部１２Ｂは、上下シェル固定孔１４Ｂを設けた点において上係合部１２と異なる。上下シェル固定孔１４Ｂは、上係合部１２Ｂにおける上シェル１０Ｂの外側面と内側面との間を貫通する孔である。また、上下シェル固定孔１４Ｂは、上シェル１０Ｂの回転軸に沿った方向に長い略長方形の孔である。上下シェル固定孔１４Ｂは、例えば、上シェル１０Ｂの円周方向に一定の間隔で複数個設けられる。
【００３２】
下係合部６２Ｂは、ねじ穴６４Ｂを設けた点において下係合部６２と異なる。ねじ穴６４Ｂは、その内側面にねじ溝が形成された穴である。ねじ穴６４Ｂは、下係合部６２Ｂのなかでもより下シェル６０Ｂの開口端に近い位置に設けられている。ねじ穴６４Ｂは、例えば、下シェル６０Ｂの円周方向に一定の間隔で複数個設けられている。ねじ穴６４Ｂの個数は、上下シェル固定孔１４Ｂの個数と同じであり、ねじ穴６４Ｂの間隔は、上下シェル固定孔１４Ｂの間隔と同じである。ねじ穴６４Ｂの直径は、上係合部１２Ｂの上下シェル固定孔１４Ｂの短辺（円周方向の辺）の大きさよりも小さくなっている。
【００３３】
上下シェル固定ピン９０Ｂは、例えば、蝶ねじである。より詳細に説明する。上下シェル固定ピン９０Ｂは、ねじ部９２Ｂと頭部９４Ｂとから構成されている。ねじ部９２Ｂは、側面にねじ山が形成された円柱状の部材である。ねじ部９２Ｂのねじ山は、下係合部６２Ｂのねじ穴６４Ｂのねじ溝に螺合するように形成されている。ねじ部９２Ｂは、少なくとも、上係合部１２Ｂにおける上シェル１０Ｂの肉厚以上の長さを有している。ねじ部９２Ｂの一端は、頭部９４Ｂの円形ブロック部分に連続している。頭部９４Ｂの円形のブロック部分の直径は、上下シェル固定孔１４Ｂの短辺の大きさよりも大きくなっている。また、頭部９４Ｂは、ユーザによる上下シェル固定ピン９０Ｂの回転を補助するための２枚の取手を有している。
【００３４】
本実施形態によるドラム１Ｂは、上係合部１２Ｂにおける上シェル１０Ｂの内側面が下係合部６２Ｂにおける下シェル６０Ｂの外側面に接触することにより当該ドラム１Ｂが形成される点において第１実施形態によるドラム１Ａと同様である。ドラム１Ｂは、側面からドラム１Ｂを見たときに上下シェル固定孔１４Ｂとねじ穴６４Ｂとが重なるように上係合部１２Ｂと下係合部６２Ｂとを接触させる点においてドラム１Ａと異なる。ドラム１Ｂでは、上係合部１２Ｂと下係合部６２Ｂとが接触している状態で上下シェル固定孔１４Ｂに上下シェル固定ピン９０Ｂのねじ部９２Ｂが挿通される。そして、挿通されたねじ部９２Ｂがねじ穴６４Ｂに螺合されることによって、上下シェル固定ピン９０Ｂの頭部９４Ｂが上シェル１０Ｂの外側面に押し当てられる。その結果、上シェル１０Ｂと下シェル６０Ｂとが互いに固定される。すなわち、上シェル固定孔１４Ｂ、ねじ穴６４Ｂおよび上下シェル固定ピン９０Ｂは、上シェル１０Ｂと下シェル６０Ｂとを互いに固定する固定手段として機能する。ユーザは、上シェル１０Ｂに対して上下シェル固定ピン９０Ｂを緩めた状態で上シェル１０Ｂと下シェル６０Ｂとを互いに摺動させた後に、上シェル１０Ｂに対して上下シェル固定ピン９０Ｂを締め付ける。
【００３５】
このように、本実施形態によるドラム１Ｂは、上シェル１０Ｂと下シェル６０Ｂとを互いに固定する手段（具体的には、上下シェル固定孔１４Ｂ、ねじ穴６４Ｂおよび上下シェル固定ピン９０Ｂ）をさらに有している。このため、上シェル１０Ｂと下シェル６０Ｂとは、互いに強固に固定される。上シェル１０Ｂと下シェル６０Ｂとが互いに強固に固定されるため、上シェル１０Ｂおよび下シェル６０Ｂは、それらが一体となったシェルとして機能する。上シェル１０Ｂと下シェル６０Ｂとが一体として機能するため、ドラム１Ｂの発音に際し生じる上シェル１０Ｂの振動は、下シェル６０Ｂに効率良く伝えられる。上シェル１０Ｂの振動が下シェル６０Ｂに効率良く伝えられるため、ドラム１Ｂは、より自然に振動する。従って、ドラム１Ｂでは、より自然な音を発生させることができる。また、ドラム１Ｂは、上シェル１０Ｂと下シェル６０Ｂとを互いに固定可能に構成した点を除いて、第１実施形態によるドラム１Ａと同様であるから、本実施形態においても第１実施形態と同様の効果が得られる。なお、上シェル１０Ｂと下シェル６０Ｂとを互いに固定する手段は、本実施形態の態様に限られない。
【００３６】
＜第３実施形態＞
図７は、この発明の第３実施形態によるドラム１Ｃの構成の一部を示す断面図である。本実施形態によるドラム１Ｃは、上シェル１０に代えて上シェル１０Ｃを設け、下シェル６０に代えて下シェル６０Ｃを設けた点において第１実施形態によるドラム１Ａと異なる。上シェル１０Ｃは、上係合部１２に代えて上係合部１２Ｃを設けた点において上シェル１０と異なる。下シェル６０Ｃは、下係合部６２に代えて下係合部６２Ｃを設けた点において下シェル６０と異なる。
【００３７】
上係合部１２Ｃは、当該上係合部１２Ｃにおける上シェル１０Ｃの内側面にねじ溝が形成されている点において上係合部１２と異なる。下係合部６２Ｃは、当該下係合部６２Ｃにおける下シェル６０Ｃの外側面にねじ山が形成されている点において下係合部６２と異なる。下係合部６２Ｃにおけるねじ山は、上係合部におけるねじ溝に螺合するように形成されている。なお、上係合部１２Ｃにおける上シェル１０Ｃの内側面にねじ山が形成され、下係合部６２Ｃにおける下シェル６０Ｃの外側面にねじ溝が形成されても良い。
【００３８】
本実施形態によるドラム１Ｃでは、上係合部１２Ｃにおける上シェル１０Ｃの内側面と下係合部６２Ｃにおける下シェル６０Ｃの外側面とが螺合することにより上シェル１０Ｃと下シェル６０Ｃとが接触する。上シェル１０Ｃおよび下シェル６０Ｃは、下シェル６０Ｃに対して上シェル１０Ｃを円周方向に回転（あるいは、上シェル１０Ｃに対して下シェル６０Ｃを円周方向に回転）させることにより、上シェル１０Ｃと下シェル６０Ｃとが互いに接触しつつドラム１Ｃの回転軸に沿った方向に互いに移動する。これにより、上シェル１０Ｃと下シェル６０Ｃとにより形成されるシェルの長さが変わる。そして、バターサイドヘッド２０、上シェル１０Ｃ、下シェル６０Ｃおよびレゾナンスヘッド７０により形成される閉空間８０Ｃの容積が変化する。本実施形態によるドラム１Ｃは、上係合部１２Ｃにおける上シェル１０Ｃの内側面と下係合部６２Ｃにおける下シェル６０Ｃの外側面とを螺合させた点を除いて、第１実施形態によるドラム１Ａと同様であるから、本実施形態においても第１実施形態と同様の効果が得られる。また、ドラム１Ｃでは、上係合部１２Ｃのねじ溝および下係合部６０Ｃのねじ山によってドラム１Ｃの回転軸に沿った方向に抵抗がある。このため、ドラム１Ｃは、第１実施形態によるドラム１Ａに比べ、例えば、予期せぬ力がドラム１Ｃの回転軸に沿った方向に加えられても、上シェル１０Ｃおよび下シェル６０Ｃがドラム１Ｃの回転軸に沿った方向に誤って移動するのを抑止することができる。
【００３９】
＜第４実施形態＞
図８は、この発明の第４実施形態によるドラム１Ｄの構成の一部を示す断面図である。本実施形態によるドラム１Ｄは、上シェル１０に代えて上シェル１０Ｄを設け、下シェル６０に代えて下シェル６０Ｄを設け、さらに中シェル１００を設けた点において第１実施形態によるドラム１Ａと異なる。上シェル１０Ｄは、上係合部１２に代えて上係合部１２Ｄを設けた点において上シェル１０と異なる。下シェル６０Ｄは、下係合部６２に代えて下係合部６２Ｄを設けた点において下シェル６０と異なる。
【００４０】
上係合部１２Ｄは、上シェル１０Ｄのバターサイドヘッド２０の反対側端をバターサイドヘッド２０側に後退させた点において上係合部１２と異なる。すなわち、上係合部１２Ｄでは、上係合部１２Ｄにおける上シェル１０Ｄの長さが上係合部１２における上シェル１０の長さよりも短くなっている。下係合部６２Ｄは、下シェル６０Ｄのレゾナンスヘッド７０の反対側端をレゾナンスヘッド７０側に後退させた点において下係合部６２と異なる。すなわち、下係合部６２Ｄでは、下係合部６２Ｄにおける下シェル６０Ｄの長さが下係合部６２における下係合部６０の長さよりも短くなっている。下係合部６２Ｄにおける下シェル６０Ｄの長さは、上係合部１２Ｄにおける上シェル１０Ｄの長さとほぼ同じになっている。また、下係合部６２Ｄにおける下シェル６０Ｄの外径は、上係合部１２Ｄにおける上シェル１０Ｄの内径とほぼ同じになっている。
【００４１】
中シェル１００は、両端が開口している円筒状の部材である。中シェル１００は、例えば、木材を成形してなるものである。中シェル１００の内径は、当該中シェル１００の回転軸に沿ってほぼ同じになっている。また、中シェル１００の内径は、上シェル１０Ｄの内径および下シェル６０Ｄの内径と同じになっている。また、ドラム１Ｄでは、中シェル１００の回転軸に沿った方向の中シェル１００の長さが異なる複数種類の中シェル１００が用意されている。
【００４２】
中シェル１００の一端には、中上係合部１０２が設けられている。中上係合部１０２は、中シェル１００の外径を階段状に変化させた部分である。より詳細に説明する。中上係合部１０２における中シェル１００の外径は、中上係合部１０２よりも中シェル１００の他端側における中シェル１００の外径よりも若干小さくなっている。中上係合部１０２における中シェル１００の外径は、中シェル１００の回転軸に沿って同じになっている。中上係合部１０２における中シェル１００の長さは、上係合部１２Ｄにおける上シェル１０Ｄの長さとほぼ同じになっている。また、中上係合部１０２における中シェル１００の外径は、上係合部１２Ｄにおける上シェル１０Ｄの内径とほぼ同じになっている。
【００４３】
中シェル１００の他端には、中下係合部１０４が設けられている。中下係合部１０４は、中シェル１００の内径を階段状に変化させた部分である。より詳細に説明する。中下係合部１０４における中シェル１００の内径は、中下係合部１０４よりも中シェル１００の一端側における中シェル１００の内径よりも若干大きくなっている。中下係合部１０４における中シェル１００の内径は、中シェル１００の回転軸に沿って同じになっている。中下係合部１０４における中シェル１００の長さは、下係合部６２Ｄにおける下シェル６０Ｄの長さとほぼ同じになっている。また、中下係合部１０４における中シェル１００の内径は、下係合部６２Ｄにおける下シェル６０Ｄの外径とほぼ同じになっている。
【００４４】
ドラム１Ｄでは、上シェル１０Ｄと中シェル１００と下シェル６０Ｄとが互いに係合することにより当該ドラム１Ｄが形成される。より詳細に説明する。上シェル１０Ｄ、中シェル１００および下シェル６０Ｄは、各々の回転軸が同一直線上に並ぶように配置される。また、上シェル１０Ｄは、中シェル１００の中上係合部１０２側端に上係合部１２Ｄが向かい合う姿勢で配置され、下シェル６０Ｄは、中シェル１００の中下係合部１０４側端に下係合部６２Ｄが向かい合う姿勢で配置される。そして、上係合部１２Ｄと中上係合部１０２とが組み合わされ、下係合部６０Ｄと中下係合部１０４とが組み合わされる。これにより、ドラム１Ｄが形成される。この場合、上シェル１０Ｄ、中シェル１００および下シェル６０Ｄによりドラム１Ｄにおけるシェルが形成され、バターサイドヘッド２０、上シェル１０Ｄ、中シェル１００、下シェル６０Ｄおよびレゾナンスヘッド７０によりドラム１Ｄ内に閉空間８０Ｄが形成される。
【００４５】
一方、ドラム１Ｄでは、上シェル１０Ｄと下シェル６０Ｄとが互いに係合することによっても当該ドラム１Ｄが形成される。図９は、上シェル１０Ｄと下シェル６０Ｄとを互いに係合させた場合のドラム１Ｄの構成の一部を示す断面図である。上シェル１０Ｄは、その回転軸が下シェル６０Ｄの回転軸の延長線上に重なるようにして配置され、下シェル６０Ｄの下係合部６２Ｄ側端に上係合部１２Ｄが向かい合う姿勢で配置される。そして、上係合部１２Ｄと下係合部６２Ｄとが組み合わされる。これにより、ドラム１Ｄが形成される。この場合、上シェル１０Ｄおよび下シェル６０Ｄによりドラム１Ｄにおけるシェルが形成され、バターサイドヘッド２０、上シェル１０Ｄ、下シェル６０Ｄおよびレゾナンスヘッド７０によりドラム１Ｄ内に閉空間８０Ｄが形成される。
【００４６】
このように、本実施形態によるドラム１Ｄは、上シェル１０Ｄと下シェル６０Ｄとの間に中シェル１００を組み入れるか否かにより、ドラム１Ｄ内の閉空間８０Ｄの密閉度合いを保持しつつ、ドラム１Ｄの回転軸に沿った方向のドラム１Ｄのシェルの長さを変えるものである。ドラム１Ｄは、上シェル１０Ｄと下シェル６０Ｄとの間に中シェル１００を着脱可能にした点を除いて、第１実施形態によるドラム１Ａと同様であるから、本実施形態においても第１実施形態と同様の効果が得られる。また、ドラム１Ｄでは、中シェル１００を組み入れるか否かによりシェルの長さおよび閉空間８０Ｄの容積を所定の値にすることができるため、ドラム１Ｄの音色を所定の音色に効率良く変えることができる。また、ドラム１Ｄでは、中シェル１００の長さが異なる複数種の中シェル１００の中からユーザによって選択された１の中シェル１００を上シェル１０Ｄと下シェル６０Ｄとの間に組み入れることにより、ドラム１Ｄのシェルの長さをより細かく変えることができる。なお、中シェル１００は複数種用意されていなくても良い。少なくとも１つの中シェル１００が用意されていれば、ドラム１Ｄのシェルの長さを変えることができるからである。
【００４７】
＜他の実施形態＞
以上、この発明の第１から第４実施形態について説明したが、この発明には他にも実施形態が考えられる。例えば次の通りである。
【００４８】
（１）上記各実施形態における上シェル１０〜１０Ｄ、下シェル６０〜６０Ｄおよび中シェル１００は、各々、木材を成形してなるものであった。しかし、上シェル、下シェルおよび中シェルの各々は、木材を成形してなるものでなくても良い。例えば、上シェル、下シェルおよび中シェルの各々は、金属を成形してなるものであっても良い。また、上シェル、下シェルおよび中シェルの各々は、同一の素材からなるものであっても良いし、異なる素材からなるものであっても良い。例えば、上シェルと下シェルとは、木材を成形してなるものであり、中シェルは金属を成形してなるものである、という具合である。また、上シェル、下シェルおよび中シェルの各々は、同一種類の木材を成形してなるものであっても良く、異なる種類の木材を成形してなるものであっても良い。例えば、上シェルと下シェルとは、メープルを成形してなるものであり、中シェルはマホガニーを成形してなるものである、という具合である。金属に関しても同様である。このようにすることで、より細かくドラムの音色を変えることが可能となる。
【００４９】
（２）上記各実施形態における上シェル１０〜１０Ｄ、下シェル６０〜６０Ｄおよび中シェル１００は、各々、円筒状の部材であった。しかし、上シェル、下シェルおよび中シェルは、筒状の部材であれば良く、円筒状の部材に限られない。例えば、上シェル、下シェルおよび中シェルは、それらの軸（中心となる線）に垂直な切断面の形状が方形の筒状の部材であっても良いし、同切断面の形状が多角形の筒状の部材であっても良い。このとき、上シェル、下シェルおよび中シェルの各々の断面形状が同じになっていることが好ましい。
【００５０】
（３）上記各実施形態における技術的特徴を組み合わせても良い。例えば、上シェルと下シェルとの間に中シェルを組み合わせることを可能にするとともに、中シェルと上シェルとの間で中シェルと上シェルとをドラムの回転軸に沿った方向に互いに摺動可能にする、という具合である。
【００５１】
（４）上記第１〜第３実施形態によるドラム１Ａ〜１Ｃでは、上係合部１２〜１２Ｃにおける上シェル１０〜１０Ｃの内側面に下係合部６２〜６２Ｃにおける下シェル６０〜６０Ｃの外側面を接触させていた。しかし、上シェルの外側面に下シェルの内側面を接触させるように上係合部および下係合部を形成しても良い。また、上記第４実施形態によるドラム１Ｄでは、上係合部１２Ｄにおける上シェル１０Ｄの内側面と中上係合部１０２における中シェル１００の外側面とが接触し、下係合部６２Ｄにおける下シェル６０Ｄの外側面と中下係合部１０４における中シェル１００の内側面とが接触するように上シェル１０Ｄと中シェル１００と下シェル６０Ｄとが組み合わされていた。しかし、上シェルの外側面と中シェルの内側面とが接触し、下シェルの内側面と中シェルの外側面とが接触するように上係合部、中上係合部、下係合部および中下係合部を形成しても良い。さらに、上記各実施形態における上係合部１２〜１２Ｄ、下係合部６２〜６２Ｄ、中上係合部１０２および中下係合部１０４は、上シェル１０〜１０Ｄ、下シェル６０〜６０Ｄおよび中シェル１００の各々の内径または外径を階段状に変化させたものに限られない。少なくとも、シェルの回転軸に沿った方向のシェルの長さを変えることができる構成であれば良い。
【００５２】
（５）上記第４実施形態では、上シェル１０Ｄと下シェル６０Ｄとの間に中シェル１００を組み入れていた。この態様において組み入れる中シェル１００の数は、１であっても良いし、複数であっても良い。
【００５３】
（６）上シェル１０〜１０Ｄ、下シェル６０〜６０Ｄおよび中シェル１００に空気抜き孔を設けても良い。この場合、閉空間８０〜８０Ｄは完全に密閉されないが、上記各実施形態と同様に、閉空間８０〜８０Ｄの密閉度合いはシェルの長さを変化させる前後において保持されるからである。従って、この態様においても、上記各実施形態と同様の効果が得られる。
【００５４】
（７）上記各実施形態による技術的特徴は、例えば、スネアドラム、バスドラム、タム、マーチングドラムなど、各種のドラムに適用することが可能である。
【符号の説明】
【００５５】
１Ａ，１Ｂ，１Ｃ，１Ｄ…ドラム、１０，１０Ｂ，１０Ｃ，１０Ｄ…上シェル、１２，１２Ｂ，１２Ｃ，１２Ｄ…上係合部、１４Ｂ…上下シェル固定孔、２０…バターサイドヘッド、２２…バターサイドヘッド固定部、３０…フープ、３２…ツバ部、４０…ラグ、４２…ねじ受け部、５０…チューニングピン、５２，９２Ｂ…ねじ部、５４，９４Ｂ…頭部、５６…座金部、６０，６０Ｂ，６０Ｃ，６０Ｄ…下シェル、６２，６２Ｂ，６２Ｃ，６２Ｄ…下係合部、６４Ｂ…ねじ穴、７０…レゾナンスヘッド、７２…レゾナンスヘッド固定部、８０，８０Ｂ，８０Ｃ，８０Ｄ…閉空間、９０Ｂ…上下シェル固定ピン、１００…中シェル、１０２…中上係合部、１０４…中下係合部。
【図１】
2015210485.tif 000003
【図２】
2015210485.tif 000004
【図３】
2015210485.tif 000005
【図４】
2015210485.tif 000006
【図５】
2015210485.tif 000007
【図６】
2015210485.tif 000008
【図７】
2015210485.tif 000009
【図８】
2015210485.tif 000010
【図９】
2015210485.tif 000011